(57)【要約】【課題】長さを自由に調整することができるとともに、防水性も有する浴室ユニットの拡張防水パン構造を提供する。【解決手段】浴室ユニットの床面を構成する防水パンに追加して、該防水パンより高い位置に水平面を構成する浴室ユニットの拡張防水パン構造において、該拡張防水パンの上記水平面を構成し、後面に沿って立ち上がりを有する拡張防水パン本体と、該拡張防水パン本体の両側端に水密に接続され、側端に上記拡張防水パン本体の立ち上がりと接続される立ち上がりを有し、上部に壁パネルを載置可能なサイドキャップとを備える。【選択図】  図３
2007247156.tif 000002
【特許請求の範囲】
【請求項１】
浴室ユニットの床面を構成する防水パンに追加して、該防水パンより高い位置に水平面を構成する浴室ユニットの拡張防水パン構造において、
該拡張防水パンの上記水平面を構成し、後面に沿って立ち上がりを有する拡張防水パン本体と、
該拡張防水パン本体の両側端に水密に接続され、側端に上記拡張防水パン本体の立ち上がりと接続される立ち上がりを有し、上部に壁パネルを載置可能なサイドキャップと、
を備えることを特徴とする浴室ユニットの拡張防水パン構造。
【請求項２】
前記拡張防水パン本体は、押出し成形により長さ調整可能に形成されたことを特徴とする請求項１記載の浴室ユニットの拡張防水パン構造。
【請求項３】
前記サイドキャップは、その前後方向の断面が略Ｕ字形に形成され、該Ｕ字の底部が前記拡張防水パン本体の上面よりも低く配置されたことを特徴とする請求項１記載の浴室ユニットの拡張防水パン構造。
【請求項４】
前記拡張防水パン本体の側端と前記サイドキャップの側面とは、ビス固定されることを特徴とする請求項１記載の浴室ユニットの拡張防水パン構造。
【請求項５】
前記拡張防水パン本体の下端と前記サイドキャップの底面とが同一高さに形成されたことを特徴とする請求項１記載の浴室ユニットの拡張防水パン構造。
【請求項６】
前記拡張防水パン本体の側端と前記サイドキャップの側面とは、パッキンを介して水密に接続されることを特徴とする請求項１記載の浴室ユニットの拡張防水パン構造。
【請求項７】
前記拡張防水パン本体は、その上面が意匠カバーにより掩蔽されることを特徴とする請求項１記載の浴室ユニットの拡張防水パン構造。
【発明の詳細な説明】
【技術分野】
【０００１】
本発明は、浴室ユニットに収納部等として使用されるカウンタ部分等を追加する浴室ユニットの拡張防水パン構造に関する。
【背景技術】
【０００２】
浴室ユニットをできるだけ広く使いたいという需要は多い。この需要に応える方策として、例えば浴槽の一方の短辺側壁面の略全長に沿ってカウンタを設けることがよく行われる。このカウンタは、使用者にとっては、シャンプーのボトル等を置く収納部として、後から取って付けたような棚よりは見栄えがよく、それは翻ってメーカーにとっては、高付加価値を生むというメリットがある。
【０００３】
このようなカウンタを設けるには、水平面をその部分にまで拡張する必要がある。この拡張部分を、浴槽サイズより一回り大きい防水パンを採用して、浴槽載置後の剰余部分上に設けることとすれば、今までにない防水パンを新たに型を起こして製作することになり、コスト的に不利である。また、同じ浴槽を採用する浴室ユニットであっても、洗い場の幅が異なれば異なる防水パンが必要であり、それでなくても多種の防水パンがあるところ、それぞれに対してさらに拡張部を持つタイプを加えることとなり、保管・管理上も煩雑となる。
【０００４】
そこで従来、浴槽サイズより一回り大きい防水パンを採用するのではなく、カウンタ部分の床として拡張防水パンと呼ばれるものを別途追加することが行われている。
【０００５】
この拡張防水パン構造として、ＦＲＰハンドレイアップ等の成形法で、拡張部の水平面とその外周三方の立ち上がりを一体的に成形することにより形成されるものがある（例えば、特許文献１参照。）。しかしながら、この構造では、一体的に成形することから、成形型で製作できるサイズが限定され、カウンタの長さ（壁面一杯に設けられる場合は、浴槽の幅＋洗い場の幅に相当）毎に型を起こす必要が生じる。
【０００６】
また、防水パンの一辺から立ち上がる下壁パネルと、下壁パネルの上端から背面方向に張り出す下地板と奥行き方向のフレームを有する水平パネルと、その水平パネルの他端の上壁パネルとからなり、水平パネルを支持するブラケットは奥行き方向のフレームに固定される拡張防水パン構造がある（例えば、特許文献２参照。）。
【０００７】
この構造によれば、形状や大きさの異なる拡張防水パンを得ることができるものの、水平パネル自体に立ち上がり等がない等防水に対する配慮がなされておらず、防水構造にするには他の部品又はコーキング等により壁パネルとの取り合い部に水密性を持たせる必要がある。
【特許文献１】実公平７−４７４７５号公報
【特許文献２】特開平１１−３１１０３３号公報
【発明の開示】
【発明が解決しようとする課題】
【０００８】
本発明は、上述した事情を考慮してなされたもので、長さを自由に調整することができるとともに、防水性も有する浴室ユニットの拡張防水パン構造を提供することを目的とするものである。
【課題を解決するための手段】
【０００９】
本発明に係る浴室ユニットの拡張防水パン構造は、上述した課題を解決するために、請求項１に記載したように、浴室ユニットの床面を構成する防水パンに追加して、該防水パンより高い位置に水平面を構成する拡張防水パン構造において、該拡張防水パンの上記水平面を構成し、後面に沿って立ち上がりを有する拡張防水パン本体と、該拡張防水パン本体の両側端に水密に接続され、側端に上記拡張防水パン本体の立ち上がりと接続される立ち上がりを有し、上部に壁パネルを載置可能なサイドキャップとを備えるものである。
【００１０】
前記拡張防水パン本体は、好適には、請求項２に記載したように、押出し成形により長さ調整可能に形成される。
【００１１】
また、前記サイドキャップは、好適には、請求項３に記載したように、その前後方向の断面が略Ｕ字形に形成され、該Ｕ字の底部が前記拡張防水パン本体の上面よりも低く配置される。
【００１２】
そして、前記拡張防水パン本体の側端と前記サイドキャップの側面とは、好適には、請求項４に記載したように、ビス固定されることとできる。
【００１３】
さらに、好適には、請求項５記載したように、前記拡張防水パン本体の下端と前記サイドキャップの底面とが同一高さに形成され留事が望ましい。
【００１４】
またさらに、前記拡張防水パン本体の側端と前記サイドキャップの側面とは、好適には、請求項６に記載したように、パッキンを介して水密に接続される。
【００１５】
さらにまた、前記拡張防水パン本体は、好適には、請求項７に記載したように、その上面が意匠カバーにより掩蔽されることとしてもよい。
【発明の効果】
【００１６】
本発明に係る浴室ユニットの拡張防水パン構造によれば、長さを自由に調整することができるとともに、高い防水性も得ることができる。
【発明を実施するための最良の形態】
【００１７】
本発明に係る浴室ユニットの拡張防水パン構造の実施の形態について、添付図面を参照して説明する。図１は、本発明に係る浴室ユニットの拡張防水パン構造を備える浴室ユニットの一部を取り出した斜視図である。
【００１８】
浴室ユニット１の水平面は、主に、洗い場を形成する防水パン２、洗い場に隣接する浴槽３、浴槽３の一方の短辺側壁面の略全長に沿って設けられたカウンタ９、及び浴槽の洗い場側側面を掩蔽するバスエプロン（図示せず）により構成される。本発明に係る拡張防水パンは、カウンタ９の表面を形成する意匠カバー１０に掩蔽されている。
【００１９】
これに対し垂直面は、主に、壁パネル４，６，７や図示しないドアにより構成される。壁パネルには、カウンタ９の後面に立設される後面壁パネル４、カウンタ９の側端側の側面壁パネル６及びカウンタ９の前方下部を掩蔽する腰壁パネル７とがあり、カウンタ９の手前側側端にも図示しない側面壁パネル６が立設されている。なお、ここでは、カウンタ９の浴槽３に近い側を前面、その反対側を後面、これに直交する方向のカウンタ９の端部を側端という。また、斯かる一方の側端から他方の側端に至る方向を長手方向、これと直交する方向を短手方向という。
【００２０】
後面壁パネルは浴室ユニット１のコーナーに立設されたコーナージョイナ５及び壁面の中間に立設された平ジョイナ（図示せず）間に架設される。側面壁パネル６も同様である。また、腰壁パネル７は、複数のカウンタ下ジョイナ８間に架設される。
【００２１】
図２は、この浴室ユニット１のカウンタ９周りを背面から見た斜視図である。防水パン２からは、略水平に持出し部１１が延出し、その延出した先端近傍からは支持ポスト１２が立設され、複数の支持ポスト１２の上端には梁１３が横架される。これら持出し部１１、支持ポスト１２及び梁１３は、角形鋼管等で形成され、拡張防水パン２０を支持する外、後面壁パネル４の重量をカウンタ９を介して受けるものである。
【００２２】
図３は、カウンタ９から意匠カバー１０を取り除き、拡張防水パン２０の構成部材を分解して示す図である。本実施形態に係る拡張防水パン２０は、拡張防水パン本体２１、サイドキャップ２２、パッキン２３及びコーナージョイナ支持材２４を備える。
【００２３】
拡張防水パン本体２１は、合成樹脂等を押出し成形により形成されたものであり、したがって、短手方向の断面は、どの部位であっても同一であり、よって、任意の位置で切断することにより、任意の長さの拡張防水パン本体２１を得ることができるので、ＦＲＰハンドレイアップ等による成形のように、多数の型を製作する必要がない。
【００２４】
拡張防水パン本体２１は、カウンタ９の構造材たる主部２１ａと、後面側に突設された立ち上がり２１ｂと、サイドキャップ２２等を取設するビス２５が螺挿されるビス受けと、カウンタ前側において下方へ垂下する垂下部２１ｄとから成る。
【００２５】
主部２１ａは、カウンタ９の構造材であり、意匠カバー１０は、この主部２１ａ上に両面テープやシリコン等を用いて貼着される。その上面はフラットでもよいし、同図に示すように、凹凸が形成されていてもよい。凹凸が形成されていると、強度が増すとともに、意匠カバー１０下に浸入した水を浴室内に導出する排水路の機能を果たすこともできる。
【００２６】
立ち上がり２１ｂは、その前側の側面が後面壁パネル４の裏面に位置し、後面壁パネル４の裏面又は下面から漏れてきた水が浴室外部へ落下することを防止する。
【００２７】
ビス受け２１ｃは、主部２１ａの下面から突出する２つの突条からなり、この突条間にビス２５を螺挿して、サイドキャップ２２等を主部２１ａに固設する。また、突条は、主部２１ａを補強する機能もある。
【００２８】
垂下部２１ｄには、前面に立設される腰壁パネル７の頭部裏面が当接して取り付けられる。
【００２９】
サイドキャップ２２は、硬質合成樹脂等からプレス成形等により形成され、図４に示すように、壁パネル載置部２２ａと、立ち上がり２２ｂと、当接部２２ｃと、垂下部２２ｄとから成る。
【００３０】
壁パネル載置部２２ａは、その上に載置される側面壁パネル６の荷重を支えるのに十分な強度を有する。そして、図５に示すように、略Ｕ字形断面の底面を構成し、その高さは、拡張防水パン本体２１よりも低い位置に設定される。これにより、主部２１ａに漏れてきた水がこの底部に集められ、側溝の役目を果たす。
【００３１】
立ち上がり２２ｂは、拡張防水パン本体２１の立ち上がり２１ｂと略同じ高さに突設され、その前側の側面が側面壁パネル６の裏面に位置し、側面壁パネル６の裏面又は下面から漏れてきた水が浴室外部へ落下することを防止する。また、その後面側端部は、パッキン２３及びコーナージョイナ支持材２４を介して、拡張防水パン本体２１の立ち上がり２１ｂと水密に接続される。
【００３２】
当接面２２ｃは、パッキン２３を介して拡張防水パン本体２１と当接接合される面である。水密性を高めるためには、パッキン２１は、高さ方向に一定以上の幅が必要であり、そのため、当接面２２ｃも、それに対応した大きさに形成される。
【００３３】
垂下部２２ｄは、壁パネル載置部２１の前面側から連続して下方に垂下する部分であり、拡張防水パン本体２１の主部２１ａに漏れ出て、壁パネル載置部２１ａに集められた水を浴室内に排出する経路の終端を成す。
【００３４】
パッキン２３は、拡張防水パン本体２１側端とサイドキャップ２２の当接面２２ｃとに挟装され、この接続部から水が漏れることを防止する。
【００３５】
コーナージョイナ支持材２４は、拡張防水パン本体２１の立ち上がり２１ｂとサイドキャップ２２の立ち上がり２２ｂとに跨設被装され、コーナージョイナ５の足元がビス止めされる。
【００３６】
このように、サイドキャップ２２は、拡張防水パン本体２１と別体に設けられるので、側面壁パネル６の荷重を受けるために、残りの部分より高い強度を要求される部分のみ強度を高められるので、残りの部分まで同等の強度にするという無駄が省かれる。なお、後面壁パネル４は、上述したように、梁１３や支持ポスト１２により支持されるので、拡張防水パン本体２１の主部２１ａには、ここまでの強度は必要とされない。
【００３７】
また、拡張防水パン本体２１は押出し成形されることから、それ自身では側端側に防水用の立ち上がりを設ける事はできないが、サイドキャップ２２を拡張防水パン本体２１と別体に設けることにより、それが可能となり、カウンタ９の前面側を除く三方に立ち上がりを設けることができ、それらが、パッキン２３を介することにより連続一体化され、防水性が高められる。
【００３８】
図６に、カウンタ９の短手方向の縦断面を示す。壁パネル載置部２２ａには、側面壁パネル６が載置されるので、レベルＬ２で水平に形成され、拡張防水パン本体２１も壁パネル載置部２２ａよりも若干高いレベルＬ１で、後面壁パネル４から前面へと水勾配Ｓが設けられて取設される。
【００３９】
また、拡張防水パン本体２１の主部２１ａ下面及び壁パネル載置部２２ａの下端は同一レベルＬ３に設定される。これにより、同時に梁１３等の支持材に載置されるので、ビス２５をビス受け２１ｃにねじ止めするだけで、壁、天井等の上方からの荷重に耐える強度を得ることができる。
【００４０】
他方、意匠カバー１０は、後面壁パネル４から前面へと水勾配Ｓが設けられ、後面壁パネル４を伝って落下してきた水が後面側へ回らず、前面の浴室側へと落下するようになされている。
【００４１】
拡張防水パン２０が取り付けられ、壁パネル４，６が立設されると、側面壁パネル６の下端と壁パネル載置部２２ａとの間、及び後面壁パネル４と拡張防水パン本体２１の主部２１ａとの間は、コーキング又は目地材を施すことにより止水される。意匠カバー１０は、このコーキング等や、押出し成形により拡張防水パン本体２１の表面に現れるヒケ等を掩蔽するものである。
【００４２】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００４３】
【図１】本発明に係る浴室ユニットの拡張防水パン構造を備える浴室ユニットの部分斜視図。
【図２】図１に示された浴室ユニットの拡張防水パン構造を背面から見た部分斜視図。
【図３】図１に示された浴室ユニットの拡張防水パン構造の分解斜視図。
【図４】サイドキャップの斜視図。
【図５】本実施形態に係る拡張防水パン構造のサイドキャップ周りの納まりを示す断面図。
【図６】本実施形態に係る拡張防水パン構造の縦断面図。
【符号の説明】
【００４４】
１  浴室ユニット
２  防水パン
３  浴槽
４  後面壁パネル
５  コーナージョイナ
６  側面壁パネル
７  腰壁パネル
８  カウンタ下ジョイナ
９  カウンタ
１０  意匠カバー
１１  持出し材
１２  支持ポスト
１３  梁
２０  拡張防水パン
２１  拡張防水パン本体
２１ａ  主部
２１ｂ  立ち上がり
２１ｃ  ビス受け
２１ｄ  垂下部
２２  サイドキャップ
２２ａ  壁パネル載置部
２２ｂ  立ち上がり
２２ｃ  当接面
２２ｄ  垂下部
２３  パッキン
２４  コーナージョイナ支持材
２５  ビス
【図１】
2007247156.tif 000003
【図２】
2007247156.tif 000004
【図３】
2007247156.tif 000005
【図４】
2007247156.tif 000006
【図５】
2007247156.tif 000007
【図６】
2007247156.tif 000008